(57)【要約】【課題】  光ディスク類型の判別方法及びそのデータ記録及び／または再生装置を提供する。【解決手段】  複数のレーザダイオードを備えて複数類型の光ディスクにデータ記録及び／または再生が可能な記録及び／または再生装置にローディングされた光ディスクの類型を判別する方法において、複数のレーザダイオードのうち一つのレーザダイオードを選択するステップと、選択されたレーザダイオードをローディングされた光ディスクに／から接近または離隔させつつ光を照射するステップと、ローディングされた光ディスクから反射された光から生成された反射信号の数をカウントするステップと、反射信号の数に基づいて、ローディングされた光ディスクの類型を判別するステップと、を含むことを特徴とする光ディスク類型の判別方法。これにより、記録及び／または再生装置にローディングされた光ディスクの類型をさらに迅速、かつ正確に判別できる。【選択図】      図５
2006139910.tif 000002
【特許請求の範囲】
【請求項１】
複数のレーザダイオードを備えて複数類型の光ディスクにデータ記録及び／または再生が可能な記録及び／または再生装置にローディングされた光ディスクの類型を判別する方法において、
前記複数のレーザダイオードのうち一つのレーザダイオードを選択するステップと、
前記選択されたレーザダイオードを前記ローディングされた光ディスクに／から接近または離隔させつつ光を照射するステップと、
前記ローディングされた光ディスクから反射された光から生成された反射信号の数をカウントするステップと、
前記反射信号の数に基づいて前記ローディングされた光ディスクの類型を判別するステップと、を含むことを特徴とする方法。
【請求項２】
前記ローディングされた光ディスクの類型を判別するステップは、
前記ローディングされた光ディスクの表面とデータ層との距離及び前記選択されたレーザダイオードの動作距離によって、前記反射信号の数に差があることを利用して前記ローディングされた光ディスクの類型を判別することを特徴とする請求項１に記載の方法。
【請求項３】
前記ローディングされた光ディスクの類型を判別するステップは、
前記ローディングされた光ディスクのデータ層からの反射信号の存否によって、前記ローディングされた光ディスクの類型を判別することを特徴とする請求項１に記載の方法。
【請求項４】
前記レーザダイオードを選択するステップは、
前記複数のレーザダイオードのうち、動作距離が最も短いレーザダイオードを選択することを特徴とする請求項１に記載の方法。
【請求項５】
前記ローディングされた光ディスクは、ＣＤ、ＤＶＤまたはＢＤのうち一つであり、前記反射信号の数は、前記ローディングされた光ディスクがＢＤならば、２つ以上であり、前記ローディングされた光ディスクがＣＤまたはＤＶＤならば、一つであることを特徴とする請求項１に記載の方法。
【請求項６】
前記ローディングされた光ディスクの類型を判別するステップにおいて、前記ローディングされた光ディスクがＣＤまたはＤＶＤと判別されれば、
前記動作距離が最も短いレーザダイオードの代りに、他のレーザダイオードを選択するステップと、
前記他のレーザダイオードを前記ローディングされた光ディスクに／から接近または離隔させつつ光を照射するステップと、
前記ローディングされた光ディスクの表面からの反射信号とデータ層からの反射信号との時間間隔に基づいて、前記ローディングされた光ディスクがＣＤであるかＤＶＤであるかを判別するステップと、をさらに含むことを特徴とする請求項５に記載の方法。
【請求項７】
複数類型の光ディスクにデータ記録及び／または再生が可能なデータ記録及び／または再生装置において、
複数のレーザダイオードを備えてローディングされた光ディスクに／からデータを記録及び／または再生する記録及び／または再生部と、
前記複数のレーザダイオードのうち一つのレーザダイオードを選択した後、前記記録及び／または再生部を前記ローディングされた光ディスクに／から接近または離隔させつつ、前記選択されたレーザダイオードが光を前記ローディングされた光ディスクに照射するように制御し、前記ローディングされた光ディスクから反射された光から生成された反射信号の数に基づいて、前記ローディングされた光ディスクの類型を判別する制御部と、を備えることを特徴とする装置。
【請求項８】
前記制御部は、前記ローディングされた光ディスクの表面とデータ層との距離及び前記選択されたレーザダイオードの動作距離によって、前記反射信号の数に差があることを利用して前記ローディングされた光ディスクの類型を判別することを特徴とする請求項７に記載の装置。
【請求項９】
前記制御部は、前記ローディングされた光ディスクのデータ層からの反射信号の存否によって、前記ローディングされた光ディスクの類型を判別することを特徴とする請求項７に記載の装置。
【請求項１０】
前記制御部は、前記複数のレーザダイオードのうち、動作距離が最も短いレーザダイオードを選択することを特徴とする請求項７に記載の装置。
【請求項１１】
前記ローディングされた光ディスクは、ＣＤ、ＤＶＤまたはＢＤのうち一つであり、前記反射信号の数は、前記ローディングされた光ディスクがＢＤならば、２つ以上であり、前記ローディングされた光ディスクがＣＤまたはＤＶＤならば、一つであることを特徴とする請求項７に記載の装置。
【請求項１２】
前記制御部は、前記ローディングされた光ディスクがＣＤまたはＤＶＤと判別されれば、前記動作距離が最も短いレーザダイオードの代りに他のレーザダイオードを選択した後、前記記録及び／または再生部を前記ローディングされた光ディスクに／から接近または離隔させつつ、前記選択されたレーザダイオードが光を前記ローディングされた光ディスクに照射するように制御し、前記ローディングされた光ディスクの表面からの反射信号とデータ層からの反射信号との時間間隔に基づいて、前記ローディングされた光ディスクがＣＤであるかＤＶＤであるかを判別することを特徴とする請求項１０に記載の装置。
【請求項１３】
複数のレーザダイオードを備えて複数類型の光ディスクにデータ記録及び／または再生が可能な記録及び／または再生装置にローディングされた光ディスクの類型を判別する方法を実現させるためのプログラムを記録したコンピュータで読み取り可能な記録媒体において、
前記複数のレーザダイオードのうち一つのレーザダイオードを選択する命令語と、
前記選択されたレーザダイオードを前記ローディングされた光ディスクに／から接近または離隔させつつ光を照射する命令語と、
前記ローディングされた光ディスクから反射された光から生成された反射信号の数をカウントする命令語と、
前記反射信号の数に基づいて、前記ローディングされた光ディスクの類型を判別する命令語と、を含むことを特徴とする記録媒体。
【請求項１４】
前記ローディングされた光ディスクの表面とデータ層との距離と、前記選択されたレーザダイオードの動作距離とによって、異なる反射信号の数に基づいて前記ローディングされた光ディスクの類型を決定する命令語をさらに含むことを特徴とする請求項１３に記載の記録媒体。
【請求項１５】
前記ローディングされた光ディスクのデータ層からの反射信号の存否に基づいて、前記ローディングされた光ディスクの類型を決定する命令語をさらに含むことを特徴とする請求項１３に記載の記録媒体。
【請求項１６】
前記複数のレーザダイオードのうち、最短動作距離を有するレーザダイオードを選択する命令語をさらに含むことを特徴とする請求項１３に記載の記録媒体。
【請求項１７】
反射信号の数が少なくとも２である場合、前記ローディングされたディスクは、ＢＤと決定する命令語と、
反射信号の数が１である場合、前記ローディングされたディスクは、ＣＤまたはＤＶＤと決定する命令語と、をさらに含むことを特徴とする請求項１６に記載の記録媒体。
【請求項１８】
前記ローディングされたディスクがＣＤまたはＤＶＤと決定された場合に、前記複数のレーザダイオードのうち、さらに他のレーザダイオードを選択する命令語と、
前記ローディングされた光ディスクに／から前記選択されたさらに他のレーザダイオードを接近または離隔させつつ光を照射する命令語と、
前記ローディングされた光ディスクの表面からの反射信号と前記ローディングされた光ディスクのデータ層からの反射信号との時間間隔に基づいて、前記ローディングされたディスクがＣＤであるかＤＶＤであるかを決定する命令語と、をさらに含むことを特徴とする請求項１７に記載の記録媒体。
【請求項１９】
前記記録／再生部は、ＢＤレーザダイオード、ＤＶＤレーザダイオード、またはＣＤレーザダイオードであることを特徴とする請求項７に記載の装置。
【請求項２０】
前記制御部は、
前記ローディングされた光ディスクから反射された光をＲＦ信号に変換するＲＦチップと、
前記ＲＦ信号にチャンネルデコーディング及びエラー訂正を行うデジタル信号プロセッサと、
フォーカシング及びトラッキングを行うサーボと、
ホストとインターフェースするインターフェースと、
前記制御部の全体的な動作を制御するシステム制御器と、を備えることを特徴とする請求項７に記載の装置。
【請求項２１】
データ記録及び／または再生装置にローディングされた光ディスクの類型を決定する方法において、
レーザダイオードと前記ローディングされた光ディスクの表面との距離を変化させつつ、レーザダイオードを利用して前記ローディングされた光ディスク上に光を照射するステップと、
前記ローディングされた光ディスクから反射された光から生成された反射信号の数に基づいて、前記ローディングされた光ディスクの類型を決定するステップと、を含むことを特徴とする方法。
【請求項２２】
データ記録及び／または再生装置にローディングされた光ディスクの類型を決定する方法において、
レーザダイオードと前記ローディングされた光ディスクの表面との距離を変化させつつ、レーザダイオードを利用して前記ローディングされた光ディスク上に光を照射するステップと、
前記ローディングされた光ディスクから反射された光から生成された反射信号間の経過時間に基づいて、前記ローディングされた光ディスクの類型を決定するステップと、を含むことを特徴とする方法。
【請求項２３】
データ記録及び／または再生装置にローディングされた光ディスクの類型を決定する装置において、
レーザダイオードを含み、前記レーザダイオードと前記ローディングされた光ディスクの表面との距離を変化させつつ、移動可能な記録／再生部と、
前記レーザダイオードが前記ローディングされた光ディスクに光を照射するように制御し、
前記記録／再生部の可変的な移動を制御し、
前記ローディングされた光ディスクから反射された光から生成された反射信号の数に基づいて、前記ローディングされた光ディスクの類型を決定する制御部と、を備えることを特徴とする装置。
【請求項２４】
データ記録及び／または再生装置にローディングされた光ディスクの類型を決定する装置において、
レーザダイオードを含み、前記レーザダイオードと前記ローディングされた光ディスクの表面との距離を変化させつつ移動可能な記録／再生部と、
前記レーザダイオードが前記ローディングされた光ディスクに光を照射するように制御し、
前記記録／再生部の可変的な移動を制御し、
前記ローディングされた光ディスクから反射された光から生成された反射信号間の経過時間に基づいて、前記ローディングされた光ディスクの類型を決定する制御部と、を備えることを特徴とする装置。
【発明の詳細な説明】
【技術分野】
【０００１】
本発明は、光ディスクの類型判別に係り、さらに詳細には、光ディスクの類型をさらに迅速、かつ正確に判別できる光ディスク類型の判別方法及びそのデータ記録及び／または再生装置に関する。
【背景技術】
【０００２】
情報を保存する情報記録媒体としては、フロッピー（登録商標）ディスク及びハードディスクのような磁気ディスク、磁気テープ、ＲＯＭやＲＡＭのような半導体メモリチップ及びレーザを利用してデータを記録する光ディスクなど多様な類型がある。
【０００３】
このような情報記録媒体のうち、光ディスクは、関連技術の発展によって情報保存容量が急増しており、そのコストも比較的低くて非常に広範囲に使われている。光ディスクは、情報保存容量によって、ＣＤ、ＤＶＤ及び次世代ディスクであるＢＤ（ブルー−レイディスク）など多様な類型のディスクが存在する。
【０００４】
一般的に、データ記録及び／または再生装置は、多様な類型の光ディスクに／からデータを記録／再生できる。光ディスクがローディングされれば、データ記録及び／または再生装置は、ローディングされた光ディスクに／からデータを記録／再生する前に、ローディングされた光ディスクの類型を判別せねばならない。ローディングされた光ディスクの類型は、光ディスクのリードイン領域に記録されたデータを再生することによって確実に分かるが、データ記録及び／または再生装置は、ローディングされた光ディスクの類型を知る前にはデータを再生できない。
【０００５】
従来の技術の一例によれば、既定の光ディスクの判別順序によって、光ディスクの類型を判断する。例えば、データ記録及び／または再生装置の製作者によって、既定の光ディスクの判別順序がＢＤ、ＤＶＤ及びＣＤの順序と仮定すれば、データ記録及び／または再生装置は、ローディングされた光ディスクがＢＤであるか否かを判断する。データ記録及び／または再生装置は、ローディングされた光ディスクがＢＤであるか否かを判断するために、ＢＤに対応するレーザダイオードのパワー値などの各種データを設定する。その後、レーザを光ディスクに照射させつつ、対物レンズを上昇／下降させて得た信号に基づいて、ローディングされた光ディスクがＢＤであるか否かを判断する。
【０００６】
しかし、ＢＤではないと判断されれば、次にＤＶＤであるか否かを判断する。ＤＶＤであるか否かを判断するために、前記の過程と類似に、データ記録及び／または再生装置は、ＤＶＤに対応するレーザダイオードのパワー値などの各種データを設定した後、レーザを光ディスクに照射させつつ対物レンズを上昇／下降させて得た信号に基づいて、ローディングされた光ディスクがＤＶＤであるか否かを判断する。ＤＶＤではないと判断されれば、ローディングされたディスクがＣＤであるか否かを判断する。ＣＤではないと判断されれば、ｕｎｋｎｏｗｎディスクまたはディスクではないと最終判断する。
【０００７】
前述した従来の技術の一例によれば、ローディングされた光ディスクの類型判別のために、場合によって色々なステップを経ねばならないので、ローディングされた光ディスクの類型判別過程が複雑であり、判別にかかる時間が長くなる。
【特許文献１】韓国特許公開２０００−０４７５０５号公報
【発明の開示】
【発明が解決しようとする課題】
【０００８】
本発明が解決しようとする技術的課題は、ローディングされた光ディスクの類型をさらに迅速、かつ正確に判別できる光ディスク類型の判別方法を提供することである。
【０００９】
本発明が解決しようとする他の技術的課題は、ローディングされた光ディスクの類型をさらに迅速、かつ正確に判別できるデータ記録及び／または再生装置を提供することである。
【課題を解決するための手段】
【００１０】
前記課題を達成するための本発明の一側面による光ディスク類型の判別方法は、複数のレーザダイオードを備えて複数類型の光ディスクにデータ記録及び／または再生が可能な記録及び／または再生装置にローディングされた光ディスクの類型を判別する方法において、前記複数のレーザダイオードのうち一つのレーザダイオードを選択するステップと、前記選択されたレーザダイオードを前記ローディングされた光ディスクに／から接近または離隔させつつ光を照射するステップと、前記ローディングされた光ディスクから反射された光から生成された反射信号の数をカウントするステップと、前記反射信号の数に基づいて前記ローディングされた光ディスクの類型を判別するステップと、を含むことを特徴とする。
【００１１】
本発明の他の側面によれば、前記ローディングされた光ディスクの類型を判別するステップは、前記ローディングされた光ディスクの表面とデータ層との距離及び前記選択されたレーザダイオードの動作距離によって前記反射信号の数に差があることを利用して、前記ローディングされた光ディスクの類型を判別する。
【００１２】
本発明のさらに他の側面によれば、前記ローディングされた光ディスクの類型を判別するステップは、前記ローディングされた光ディスクのデータ層からの反射信号の存否によって、前記ローディングされた光ディスクの類型を判別する。
【００１３】
本発明のさらに他の側面によれば、前記レーザダイオードを選択するステップは、前記複数のレーザダイオードのうち動作距離が最も短いレーザダイオードを選択することが望ましい。
【００１４】
本発明のさらに他の側面によれば、前記ローディングされた光ディスクは、ＣＤ、ＤＶＤまたはＢＤのうち一つであり、前記反射信号の数は、前記ローディングされた光ディスクがＢＤならば、２つ以上であり、前記ローディングされた光ディスクがＣＤまたはＤＶＤならば、一つであることを特徴とする。
【００１５】
本発明のさらに他の側面によれば、前記ローディングされた光ディスクの類型を判別するステップにおいて、前記ローディングされた光ディスクがＣＤまたはＤＶＤと判別されれば、前記動作距離が最も短いレーザダイオードの代りに、他のレーザダイオードを選択するステップと、前記他のレーザダイオードを前記ローディングされた光ディスクに／から接近または離隔させつつ光を照射するステップと、前記ローディングされた光ディスクの表面からの反射信号とデータ層からの反射信号との時間間隔に基づいて、前記ローディングされた光ディスクがＣＤであるか、またはＤＶＤであるかを判別するステップと、をより含む。
【００１６】
前記他の課題を達成するための本発明の一側面によるデータ記録及び／または再生装置は、複数類型の光ディスクに／からデータ記録及び／または再生が可能なデータ記録及び／または再生装置において、複数のレーザダイオードを備えてローディングされた光ディスクに／からデータを記録及び／または再生する記録及び／または再生部と、前記複数のレーザダイオードのうち一つのレーザダイオードを選択した後、前記記録及び／または再生部を前記ローディングされた光ディスクに／から接近または離隔させつつ、前記選択されたレーザダイオードが光を前記ローディングされた光ディスクに照射するように制御し、前記ローディングされた光ディスクから反射された光から生成された反射信号の数に基づいて、前記ローディングされた光ディスクの類型を判別する制御部と、を備えることを特徴とする。
【００１７】
本発明の他の側面によれば、前記制御部は、前記ローディングされた光ディスクの表面とデータ層との距離及び前記選択されたレーザダイオードの動作距離によって前記反射信号の数に差があることを利用して、前記ローディングされた光ディスクの類型を判別する。
【００１８】
本発明のさらに他の側面によれば、前記制御部は、前記ローディングされた光ディスクのデータ層からの反射信号の存否によって、前記ローディングされた光ディスクの類型を判別する。
【００１９】
本発明のさらに他の側面によれば、前記制御部は、前記複数のレーザダイオードのうち、動作距離が最も短いレーザダイオードを選択することが望ましい。
【００２０】
本発明のさらに他の側面によれば、前記ローディングされた光ディスクは、ＣＤ、ＤＶＤまたはＢＤのうち一つであり、前記反射信号の数は、前記ローディングされた光ディスクがＢＤならば、２つ以上であり、前記ローディングされた光ディスクがＣＤまたはＤＶＤならば、１つであることを特徴とする。
【００２１】
本発明のさらに他の側面によれば、前記制御部は、前記ローディングされた光ディスクがＣＤまたはＤＶＤと判別されれば、前記動作距離が最も短いレーザダイオードの代りに他のレーザダイオードを再選択した後、前記記録及び／または再生部を前記ローディングされた光ディスクに／から接近または離隔させつつ、前記再選択されたレーザダイオードが光を前記ローディングされた光ディスクに照射するように制御し、前記ローディングされた光ディスクの表面からの反射信号とデータ層からの反射信号との時間間隔に基づいて、前記ローディングされた光ディスクがＣＤであるか、またはＤＶＤであるかを判別することを特徴とする。
【発明の効果】
【００２２】
本発明によれば、記録及び／または再生装置にローディングされた光ディスクの類型をさらに迅速、かつ正確に判別できる。ローディングされた光ディスクの類型を迅速に判別することによって、光ディスクの使用のための初期化時間が短縮される。
【発明を実施するための最良の形態】
【００２３】
以下、本発明の実施形態を添付された図面を参照して詳細に説明する。
【００２４】
図１Ａは、単一記録層ＢＤの断面を示す図である。ＢＤは、記録容量が１５ＧＢ以上である次世代高密度ディスクの一種類であって、波長４０５ｎｍの光を発生させうる青色のレーザダイオードを利用してデータを記録する。図１Ａを参照するに、ＢＤ  １０は、その厚さが約１.２ｍｍであり、ＢＤの表面１１とデータ層１３との距離は、約０.１ｍｍである。
【００２５】
図１Ｂは、単一記録層ＤＶＤの断面を示す図である。図１Ｂを参照するに、ＤＶＤ  ３０の厚さは、約１.２ｍｍであって、ＢＤまたはＣＤと同一である。ＤＶＤ  ３０の表面３１とデータ層３３との距離は、約０.６ｍｍである。
【００２６】
図１Ｃは、ＣＤ  ５０の断面を示す図である。図１Ｃを参照するに、ＣＤ  ５０の表面５１とデータ層５３との距離は、１.２ｍｍである。
【００２７】
すなわち、ディスクの表面１１，３１，５１とデータ層１３，３３，５３との距離は、ＢＤ、ＤＶＤ及びＣＤの順序で近い。一方、色々な類型の光ディスクに／からデータを記録／再生できる記録及び／または再生装置の記録及び／または再生部は、各類型の光ディスクに対応するレーザダイオードを備える。例えば、ＢＤ、ＤＶＤ及びＣＤに／からデータを記録／再生できる記録及び／または再生装置の記録及び／または再生部は、ＢＤ用レーザダイオード、ＤＶＤ用レーザダイオード及びＣＤ用レーザダイオードの３つのレーザダイオードを備える。
【００２８】
図２Ａは、ＢＤ用レーザダイオード（図示せず）から照射された光７０が対物レンズ６０を通じてＢＤ  １０のデータ層１３にフォーカシングされた場合を示す図である。このとき、動作距離は、約０.５ｍｍである。動作距離は、データ層に光がフォーカシングされた状態でディスクの表面と対物レンズとの距離を称す。
【００２９】
図２Ｂは、ＢＤ用レーザダイオード（図示せず）によって発生させた光７０を対物レンズ６０を通じてＤＶＤ  ３０に照射する場合を示す図である。ＢＤ用レーザダイオードの動作距離が０.５ｍｍであり、ＤＶＤ  ３０の表面３１とデータ層３３との距離は、０.６ｍｍであるので、データ層３３に光がフォーカシングできない。
【００３０】
したがって、ローディングされたディスクがＢＤである場合、ＢＤ用レーザダイオードをオンとさせた後、フォーカシングのために記録及び／または再生部を上昇または下降させつつ光を照射し続ければ、図３Ａに示したように、２つの反射信号が得られる。一つは、ＢＤ  １０の表面１１から反射された光から得た反射信号８１であり、他の一つは、ＢＤ  １０のデータ層１３から反射された光から得た反射信号８２である。
【００３１】
しかし、ローディングされたディスクがＤＶＤならば、ＢＤ用レーザダイオードをオンとさせた後、フォーカシングのために記録及び／または再生部を上昇または下降させつつ光を照射し続ければ、図３Ｂに示したように、ＤＶＤ  ３０の表面３１から反射された光から得た反射信号８３のみが得られる。ＤＶＤ  ３０のデータ層３３から反射された光がないためである。ローディングされたディスクがＣＤ  ５０である場合は、ＤＶＤ  ３０の場合と同様に、ＣＤ  ５０の表面５１から反射された光から得た反射信号のみが得られる。
【００３２】
すなわち、本発明は、ローディングされた光ディスクの表面とデータ層との距離及びレーザダイオードの動作距離によって、反射信号の数に差があることを利用して、前記ローディングされた光ディスクの類型を判別する。言い換えれば、ローディングされた光ディスクのデータ層からの反射信号の存否によって、前記ローディングされた光ディスクの類型を判別できる。
【００３３】
図４は、本発明の一実施形態によるデータ記録及び／または再生装置のブロック図である。図４を参照するに、本実施形態による装置は、記録／再生部１、制御部２及びメモリ３を備える。
【００３４】
記録／再生部１は、制御部２の制御によってローディングされた光ディスク１００に／からデータを記録及び／または再生する。記録／再生部１は、各類型の光ディスクに対応するレーザダイオードを備える。本実施形態による記録／再生部１は、図８に示したように、ＢＤ用レーザダイオード１２、ＤＶＤ用レーザダイオード１４及びＣＤ用レーザダイオード１６の三つのレーザダイオードを備える。
【００３５】
制御部２は、本実施形態によるデータ記録及び／または再生装置の全体動作を制御する。図９に示したように、制御部２は、光ディスク１００から反射された光をＲＦ（無線周波数）信号に変換するＲＦチップ２２、ＲＦ信号を入力されてチャンネルデコーディング及びエラー訂正を行うＤＳＰ（デジタル信号処理）２４、フォーカシング及びトラッキングを行うサーボ２６、ホストとのインターフェースのためのインターフェース２８及び制御部の全体動作を制御するシステム制御器２９を備える。
【００３６】
メモリ３は、光ディスク１００から再生したデータを保存するか、または光ディスク１００に記録するデータを一時保存する。
【００３７】
以下、図４に示したデータ記録及び／または再生装置によって行われる、本発明の一実施形態による光ディスク類型の判別方法について、図５を参照してさらに詳細に説明する。
【００３８】
図５は、本発明の一実施形態による光ディスク類型の決定方法を示すフローチャートである。
【００３９】
データ記録及び／または再生装置に光ディスク１００がローディングされれば（Ｓ１１０）、制御部２は、記録／再生部１に含まれた複数のレーザダイオードのうち一つのレーザダイオードを選択する（Ｓ１３０）。本実施形態による記録／再生部１は、ＢＤ用レーザダイオード、ＤＶＤ用レーザダイオード及びＣＤ用レーザダイオードの３つのレーザダイオードを備える。本実施形態では、ローディングされた光ディスクの表面とデータ層との距離及びレーザダイオードの動作距離によって、反射信号の数に差があることを利用して、前記ローディングされた光ディスクの類型を判別する。言い換えれば、ローディングされた光ディスクのデータ層からの反射信号の存否によって前記ローディングされた光ディスクの類型を判別できる。本実施形態では、前記３つのレーザダイオードのうち、動作距離が最も短いＢＤ用レーザダイオードが選択される。
【００４０】
ＢＤ用レーザダイオードが選択された後、制御部２は、記録／再生部１を光ディスク１００に／から接近または離隔させつつ、ＢＤ用レーザダイオードが光を光ディスク１００に照射するように制御する（Ｓ１５０）。Ｓ１５０は、記録及び／または再生装置がフォーカスサーチモードで動作するステップに該当する。
【００４１】
制御部２は、光ディスク１００から反射された光から生成された反射信号の数に基づいて、光ディスク１００の類型を判別する（Ｓ１９０）。光ディスク１００が単一データ層を備えたＢＤである場合、図３Ａに示したように、２個の反射信号が得られる。一つは、ＢＤ  １０の表面１１から反射された光から得た反射信号８１であり、他の一つは、ＢＤ  １０のデータ層１３から反射された光から得た反射信号８２である。しかし、ローディングされたディスクが単一データ層を備えたＤＶＤまたはＣＤならば、図３Ｂに示したように、光ディスク１００の表面から反射された光から得た反射信号のみが得られる。もし、光ディスク１００が二重データ層を備えたＢＤならば、表面から反射された光から得た反射信号、それぞれのデータ層から反射された光から得た二つの反射信号を加算して、総３つの反射信号が得られる。すなわち、本実施形態によれば、反射信号の数が２つ以上ならば、光ディスク１００は、ＢＤであると判別できる。
【００４２】
Ｓ１９０によって、光ディスク１００がＢＤではないと判別される場合、光ディスク１００がＤＶＤまたはＣＤのうち何であるかを判別せねばならない。光ディスク１００がＤＶＤであるかまたはＣＤであるかを判別する方法は、従来の技術を含んで多様な方法がある。
【００４３】
以下では、図７を参照して、光ディスク１００がＤＶＤであるかまたはＣＤであるかを判別する方法の一実施形態を説明する。
【００４４】
光ディスクがローディングされる（Ｓ２１０）。制御部２は、ＤＶＤ用レーザダイオードまたはＣＤ用レーザダイオードのうち一つを選択する（Ｓ２３０）。例えば、ＤＶＤ用レーザダイオード１４が選択されてＤＶＤ用レーザダイオードがオンとされた後、制御部２は、記録／再生部１を光ディスク１００に／から接近または離隔させつつ、ＤＶＤ用レーザダイオードが光を光ディスク１００に照射するように制御する（Ｓ２５０）。すなわち、また、フォーカスサーチ動作を行う。光ディスクから反射信号の時間間隔が測定される（Ｓ２７０）。制御部２は、光ディスク１００の表面３１，５１からの反射信号とデータ層３３，５３からの反射信号との時間間隔に基づいて、光ディスク１００がＣＤであるかＤＶＤであるかを判別する（Ｓ２９０）。
【００４５】
図１Ｂを参照するに、単一データ層を備えたＤＶＤ  ３０の表面３１とデータ層３３との距離は、約０.６ｍｍである。図１Ｃを参照するに、ＣＤ  ５０の表面５１とデータ層５３との距離は、約１.２ｍｍである。すなわち、ＤＶＤ  ３０の表面３１とデータ層３３との距離がＣＤ  ５０の表面５１とデータ層５３との距離より近い。したがって、光ディスク１００の表面からの反射信号とデータ層からの反射信号との時間間隔を調べることによって、光ディスク１００がＣＤであるか、またはＤＶＤであるかを判別できる。
【００４６】
図６Ａは、ＤＶＤの表面３１からの反射信号８４とデータ層３３からの反射信号８５との時間間隔Ｔ１を示す図である。図６Ｂは、ＣＤの表面５１からの反射信号８６とデータ層５３からの反射信号８７との時間間隔Ｔ２を示す図である。ＤＶＤ３０の表面３１とデータ層３３との距離がＣＤ  ５０の表面５１とデータ層５３との距離より近いので、Ｔ１がＴ２より小さい。
【００４７】
以上、ローディングされた光ディスク１００がＢＤ、ＤＶＤまたはＣＤのうち何であるか判別する場合を例として説明したが、これに限定されるものではない。本方法及び装置は、異なる厚さ、表面と記録層との異なる距離、異なる動作距離で動作する異なる種類のディスクを区別するのに利用されてもよい。また、光ディスク１００が単一データ層を備えたディスクであるか複数のデータ層を備えたディスクであるかに関係なく、本発明は適用される。
【００４８】
本発明はまた、コンピュータで読み取り可能な記録媒体にコンピュータで読み取り可能なコードとして具現することが可能である。コンピュータで読み取り可能な記録媒体は、コンピュータシステムによって読み取れるデータが保存される全ての類型の記録装置を含む。コンピュータで読み取り可能な記録媒体の例としては、ＲＯＭ、ＲＡＭ、ＣＤ−ＲＯＭ、磁気テープ、フロッピー（登録商標）ディスク、光データ保存装置があり、またキャリアウェーブ（例えば、インターネットを通じた伝送）状に具現されるものも含む。また、コンピュータで読み取り可能な記録媒体は、ネットワークに連結されたコンピュータシステムに分散されて、分散方式でコンピュータで読み取り可能なコードとして保存され、かつ実行されうる。
【００４９】
以上、本発明についてその望ましい実施形態を中心に説明した。当業者は、本発明が本発明の本質的な特性から逸脱しない範囲で変形された形態で具現できるということが分かるであろう。本発明の範囲は、前述した説明ではなく、特許請求の範囲に現れており、それと同等な範囲内にある全ての差異点は、本発明に含まれていると解釈されねばならない。
【産業上の利用可能性】
【００５０】
本発明は、ＣＤ、ＤＶＤ、ＢＤのような光ディスクなどの情報記録媒体関連の技術分野に適用可能である。
【図面の簡単な説明】
【００５１】
【図１Ａ】単一記録層ＢＤの断面を示す図である。
【図１Ｂ】単一記録層ＤＶＤの断面を示す図である。
【図１Ｃ】ＣＤの断面を示す図である。
【図２Ａ】光が光ディスクのデータ層にフォーカシングされた場合を示す図である。
【図２Ｂ】光が光ディスクのデータ層にフォーカシングされていない場合を示す図である。
【図３Ａ】光ディスクの表面から反射された光から得た反射信号とデータ層から反射された光から得た反射信号とが何れも存在する場合を示す図である。
【図３Ｂ】光ディスクの表面から反射された光から得た反射信号のみが存在する場合を示す図である。
【図４】本発明の一実施形態によるデータ記録及び／または再生装置を示すブロック図である。
【図５】本発明の一実施形態による光ディスク類型の決定方法を示すフローチャートである。
【図６Ａ】ＤＶＤの表面からの反射信号とデータ層からの反射信号との時間間隔を示す図である。
【図６Ｂ】ＣＤの表面からの反射信号とデータ層からの反射信号との時間間隔を示す図である。
【図７】本発明の他の実施形態によって光ディスクの類型を決定する方法を示すフローチャートである。
【図８】図４に示した記録／再生部のブロック図である。
【図９】図４に示した制御部のブロック図である。
【符号の説明】
【００５２】
１      記録／再生部
２      制御部
３      メモリ
１２    ＢＤレーザダイオード
１４    ＤＶＤレーザダイオード
１６    ＣＤレーザダイオード
２２    ＲＦチップ
２４    デジタル信号プロセッサ
２６    サーボ
２８    インターフェース
２９    システム制御部
１００  光ディスク
【図１Ａ】
2006139910.tif 000003
【図１Ｂ】
2006139910.tif 000004
【図１Ｃ】
2006139910.tif 000005
【図２Ａ】
2006139910.tif 000006
【図２Ｂ】
2006139910.tif 000007
【図３Ａ】
2006139910.tif 000008
【図３Ｂ】
2006139910.tif 000009
【図４】
2006139910.tif 000010
【図５】
2006139910.tif 000011
【図６Ａ】
2006139910.tif 000012
【図６Ｂ】
2006139910.tif 000013
【図７】
2006139910.tif 000014
【図８】
2006139910.tif 000015
【図９】
2006139910.tif 000016